(57)【要約】【課題】原水中に含まれる非溶解物などの不純物を濾材によって除去する濾過システムにおいて処理水水質の悪化を抑制する。【解決手段】水使用部２の水を循環させる循環ライン３に、前記水使用部２から供給された原水中に含まれる不純物を濾材によって除去する濾過手段４を設けた濾過システム１であって、前記濾過手段４からの処理水の濁度または色度の水質検出手段１９と、この水質検出手段１９の検出値が所定濁度または所定色度を超えたとき、前記水使用部２の水を系外へ排出する排水手段２０と、前記水質検出手段１９の検出値が所定濁度または所定色度を超えたとき、前記水使用部２へ補給水を供給する補給水供給手段２１とを備えたことを特徴とする。【選択図】図１
2007253027.tif 000002
【特許請求の範囲】
【請求項１】
水使用部の水を循環させる循環ラインに、前記水使用部から供給された原水中に含まれる不純物を濾材によって除去する濾過手段を設けた濾過システムであって、
前記濾過手段からの処理水の濁度または色度の水質検出手段と、この水質検出手段の検出値が所定濁度または所定色度を超えたとき、前記水使用部または前記循環ラインの水を系外へ排出する排水手段と、前記水質検出手段の検出値が所定濁度または所定色度を超えたとき、前記水使用部または前記循環ラインの水へ補給水を供給する補給水供給手段とを備えたことを特徴とする濾過システム。
【請求項２】
水使用部の水を循環させる循環ラインに、前記水使用部から供給された原水中に含まれる不純物を濾材によって除去する濾過手段を設けた濾過システムの運転方法であって、
前記濾過手段からの処理水の濁度または色度を検出し、この検出値が所定濁度または所定色度を超えたとき、前記水使用部または前記循環ラインの水を系外へ排出するとともに、前記水使用部または前記循環ラインの水へ補給水を供給することを特徴とする濾過システムの運転方法。
【発明の詳細な説明】
【技術分野】
【０００１】
この発明は、原水中に含まれる非溶解物などの不純物を濾材によって除去する濾過システムおよびその運転方法に関する。
【背景技術】
【０００２】
原水中に含まれる非溶解物などの不純物を濾材によって除去する濾過システムとして、プールあるいは浴場などの水使用部で使用される水を循環させて、ゴミなどを除去する循環型の砂濾過システムが知られている（たとえば、特許文献１参照）。前記濾過システムは、前記水使用部の水を循環させる循環ラインに、前記水使用部から供給された原水中に含まれるゴミなどを濾材によって除去する濾過手段を設けて構成されており、前記水使用部の水を循環させることにより、この水に含まれるゴミなどを前記濾過手段で捕捉して除去し、前記水使用部の水質維持を図っている。
【特許文献１】特開２００２−１３３８号公報
【発明の開示】
【発明が解決しようとする課題】
【０００３】
ところで、前記濾過システムでは、原水中から除去された非溶解物によって前記濾材が閉塞すると、非溶解物を十分に除去することができなくなって処理水水質が悪化する。そこで、前記濾材の処理能力を回復させるため、所定の間隔で再生作動が実施されている。
【０００４】
前記再生作動は、前記濾材の処理能力を超過する前に実施されるようになっている。しかし、たとえば原水水質の悪化や処理水量の急増などにより、再生作動前に前記濾材が処理能力を超過するおそれがある。この場合、前記水使用部から前記濾過手段へ供給された原水中の非溶解物を除去しきれなくなって処理水水質が悪化し、前記水使用部の水質を維持することができなくなる。
【０００５】
この発明は、このような事情に鑑みてなされたものであり、その解決しようとする課題は、原水中に含まれる非溶解物などの不純物を濾材によって除去する濾過システムにおいて、水使用部の水質を維持することである。
【課題を解決するための手段】
【０００６】
この発明は、前記課題を解決するためになされたもので、請求項１に記載の発明は、水使用部の水を循環させる循環ラインに、前記水使用部から供給された原水中に含まれる不純物を濾材によって除去する濾過手段を設けた濾過システムであって、前記濾過手段からの処理水の濁度または色度の水質検出手段と、この水質検出手段の検出値が所定濁度または所定色度を超えたとき、前記水使用部または前記循環ラインの水を系外へ排出する排水手段と、前記水質検出手段の検出値が所定濁度または所定色度を超えたとき、前記水使用部または前記循環ラインの水へ補給水を供給する補給水供給手段とを備えたことを特徴とする。
【０００７】
さらに、請求項２に記載の発明は、水使用部の水を循環させる循環ラインに、前記水使用部から供給された原水中に含まれる不純物を濾材によって除去する濾過手段を設けた濾過システムの運転方法であって、前記濾過手段からの処理水の濁度または色度を検出し、この検出値が所定濁度または所定色度を超えたとき、前記水使用部または前記循環ラインの水を系外へ排出するとともに、前記水使用部または前記循環ラインの水へ補給水を供給することを特徴とする。
【発明の効果】
【０００８】
この発明によれば、前記水質検出手段の検出値が所定濁度または所定色度を超えたとき、前記水使用部または前記循環ラインの水，すなわち前記濾過システムにおける循環水を系外へ排出するとともに、循環水へ上水や浄水などの補給水を供給することにより、循環水が補給水と入れ替わるので、前記水使用部の水質を維持することができる。
【発明を実施するための最良の形態】
【０００９】
つぎに、この発明の実施の形態について図面に基づいて詳細に説明する。図１は、この発明に係る濾過システムの実施の形態の一例の構成を示す概略的な説明図である。
【００１０】
図１に示す濾過システム１は、プールまたは浴場などの水使用部２の水を循環させて濾過を行う循環型の濾過システムである。この濾過システム１は、前記水使用部２の水を循環させる循環ライン３と、この循環ライン３に設けられた濾過手段４とを備えている。
【００１１】
前記循環ライン３は、前記水使用部２の水を前記濾過手段４へ原水として供給する原水ライン５と、前記濾過手段４からの処理水を前記水使用部２へ供給する処理水ライン６とで構成されている。
【００１２】
前記原水ライン５には、原水供給ポンプ７が設けられている。また、この原水供給ポンプ７の下流側の前記原水ライン５には、不純物の除去に使用する薬剤の薬注手段として、殺菌剤添加手段８および凝集剤添加手段９が接続されている。
【００１３】
前記殺菌剤添加手段８は、殺菌剤供給ライン１０を介して前記原水ライン５と接続された殺菌剤貯留部１１を備えている。この殺菌剤貯留部１１内には、殺菌剤として次亜塩素酸ナトリウムが貯留されており、この次亜塩素酸ナトリウムは、前記殺菌剤供給ライン１０に設けられた殺菌剤供給ポンプ１２によって、前記原水ライン５へ添加されるようになっている。
【００１４】
前記凝集剤添加手段９は、凝集剤供給ライン１３を介して前記原水ライン５と接続された凝集剤貯留部１４を備えている。この凝集剤貯留部１４内に貯留されている凝集剤は、前記凝集剤供給ライン１３に設けられた凝集剤供給ポンプ１５によって、前記原水ライン５へ添加されるようになっている。
【００１５】
前記濾過手段４は、原水中に含まれるゴミなどの非溶解物を除去するものであり、アンスラサイト，濾過砂などから形成された濾材層（図示省略）によって濾過を行う塔式の濾過部１６と、コントロールバルブ１７とを備えている。
【００１６】
前記コントロールバルブ１７には、前記原水ライン５と前記処理水ライン６とが接続されており、前記コントロールバルブ１７を介して前記濾過部１６へ供給された原水が濾過され、原水に含まれていたゴミなどが除去され、この水が前記コントロールバルブ１７を介して前記処理水ライン６へ流出するようになっている。
【００１７】
前記処理水ライン６には、試料液導入ライン１８を介して水質検出手段１９が接続されている。この水質検出手段１９は、処理水の濁度または色度を検出するものであり、具体的には特願２００５−３４７４０５号に記載された光学計測装置を挙げることができる。この光学計測装置は、その詳細構成については図示省略するが、測定セルに設けられた測定室内の試料液へ発光素子からの光を第一導光部を通じて照射するとともに、試料液からの光を第二導光部を通じて受光素子で検出する光学計測装置であって、前記測定セルに形成され、試料液を前記測定室へ導入し，あるいは前記測定室から導出する流路部と、前記測定セルに装着され、前記流路部を開閉する流通制御部と、前記測定セルと接続され、前記測定室と連通するフィルタ部とを備えて構成されている。このように構成することで、試料液の採取機構および前記各導光部における光透過窓を洗浄するための清浄液の生成機構が一体化されたコンパクトな光学計測装置を実現することができ、また清浄液の供給圧力を低下させることなく、ノズル洗浄を行うことのできる光学計測装置を実現することができるようになっている。そして、この結果、現場への取り付けやメンテナンスなどを短時間で行うことができ、さらには前記光透過窓に付着した汚れ成分を効果的に除去して所定の測定結果を維持することができるようになっている。
【００１８】
前記水使用部２には、排水手段２０と補給水供給手段２１とが接続されている。前記排水手段２０は、前記水質検出手段１９の検出値が所定濁度または所定色度を超えたとき、前記水使用部２の水，すなわち循環水を系外へ排出するものであり、前記水使用部２と接続された排水ライン２２と、この排水ライン２２に設けられた排水バルブ２３とを備えている。また、前記補給水供給手段２１は、前記水質検出手段１９の検出値が所定濁度または所定色度を超えたとき、前記水使用部２へ上水や浄水などの補給水を供給するものであり、前記水使用部２と接続された補給水供給ライン２４と、この補給水供給ライン２４に設けられた補給水供給バルブ２５とを備えている。
【００１９】
前記原水供給ポンプ７，前記殺菌剤供給ポンプ１２，前記凝集剤供給ポンプ１５，前記水質検出手段１９，前記排水バルブ２３および前記補給水供給バルブ２５は、信号線２６，２６，…を介して制御手段２７と接続されている。この制御手段２７は、前記水質検出手段１９から前記信号線２６を介して入力された信号に基づいて、前記排水バルブ２３および前記補給水供給バルブ２５を制御するようになっている。また、前記制御手段２７は、前記原水供給ポンプ７，前記殺菌剤供給ポンプ１２および前記凝集剤供給ポンプ１５を制御するようになっている。具体的な制御方法については後述する。
【００２０】
さて、前記濾過システム１では、タイマ（図示省略）によって設定された運転開始時刻になると、前記制御手段２７が前記原水供給ポンプ７を作動させ、前記水使用部２の水を前記原水ライン５を介して前記濾過手段４へ供給する。このとき、前記制御手段２７は、前記殺菌剤供給ポンプ１２および前記凝集剤供給ポンプ１５も作動させることにより、前記殺菌剤貯留部１１内の前記次亜塩素酸ナトリウムと前記凝集剤貯留部１４内の前記凝集剤とを、前記原水ライン５へそれぞれ添加する。
【００２１】
そして、前記凝集剤の添加によってゴミなどが凝集した原水が、前記コントロールバルブ１７を介して前記濾過部１６へ流入すると、前記濾材層（図示省略）によってゴミなどが捕捉されて除去され、この水が前記コントロールバルブ１７を介して前記処理水ライン６へ流出する。前記処理水ライン６へ流出した処理水は、前記水使用部２へ流入する。
【００２２】
前記濾過システム１の運転時には、前記水質検出手段１９によって処理水の濁度または色度を検出し、その検出結果は前記信号線２６を介して前記制御手段２７へ入力される。ここで、前記濾過手段４が処理能力を超過したとき、処理水は、ゴミなどの濃度が高くなる。前記制御手段２７は、前記水質検出手段１９の検出値が所定濁度または所定色度以下となっているとき、前記排水バルブ２３および前記補給水供給バルブ２５を閉状態とするが、前記水質検出手段１９の検出値が所定濁度または所定色度を超えたとき、前記排水バルブ２３および前記補給水供給バルブ２５を開状態とし、前記水使用部２の水を前記排水ライン２２から系外へ排出するとともに、前記水使用部２へ前記補給水供給ライン２４から上水や浄水などの補給水を供給する。
【００２３】
そして、前記水質検出手段１９の検出値が、所定濁度または所定色度以下となったとき、前記制御手段２７は、前記排水バルブ２３および前記補給水供給バルブ２５を閉状態とし、前記水使用部２の水の排出とこの水使用部２への補給水の供給を停止する。
【００２４】
前記濾過システム１によれば、前記水質検出手段１９の検出値が所定濁度または所定色度を超えたとき、前記水使用部２の水を系外へ排出するとともに、前記水使用部２へ補給水を供給することにより、循環水が補給水と入れ替わるので、前記水使用部２の水質を維持することができる。
【００２５】
以上、この発明の実施の形態について説明したが、この発明は、前記実施の形態に限られるものでないことはもちろんである。たとえば、前記排水手段２０および前記補給水供給手段２１は、前記循環ライン３と接続されていてもよい。
【図面の簡単な説明】
【００２６】
【図１】この発明に係る濾過システムの実施の形態の一例の構成を示す概略的な説明図である。
【符号の説明】
【００２７】
１  濾過システム
２  水使用部
３  循環ライン
４  濾過手段
１９  水質検出手段
２０  排水手段
２１  補給水供給手段
【図１】
2007253027.tif 000003